(57)【要約】【課題】車輪取付フランジの面振れ精度を高めてブレーキジャダーの発生を抑制すると共に、フランジ強度を確保した車輪用軸受装置を提供する。【解決手段】ハブ輪２の一端部に車輪を取り付けるための車輪取付フランジ４と、この基部からアウター側に延びるブレーキパイロット部１３が形成されると共に、車輪取付フランジ４の円周方向等配に複数のハブボルト５が圧入された車輪用軸受装置において、車輪取付フランジ４のアウター側の側面４ａとブレーキパイロット部１３の外周面とが交差する隅部１５が、それぞれ異なる位置に中心を有する曲率半径Ｒ１、Ｒ２の円弧面からなる複合Ｒで構成されると共に、側面４ａにハブボルト５を包含する環状溝１１が形成され、当該側面４ａのうち環状溝１１以外の側面４ａが、ハブボルト５が圧入された後に切削加工された切削面で構成され、その面振れが所定値以下に規制されている。【選択図】図２
2007223563.tif 000002
【特許請求の範囲】
【請求項１】
内周に複列の外側転走面が形成された外方部材と、
一端部にブレーキロータを介して車輪を取り付けるための車輪取付フランジを一体に有し、外周に、この車輪取付フランジから軸方向に延びる小径段部が形成されたハブ輪、およびこのハブ輪の小径段部に所定のシメシロを介して圧入された少なくとも一つの内輪からなり、外周に前記複列の外側転走面に対向する複列の内側転走面が形成された内方部材と、
この内方部材と前記外方部材の転走面間に保持器を介して転動自在に収容された複列の転動体とを備え、
前記車輪取付フランジからアウター側に延び、前記ブレーキロータを案内支持する円筒状のブレーキパイロット部が形成されると共に、
前記車輪取付フランジの円周方向等配に複数のハブボルトが圧入された車輪用軸受装置において、
前記車輪取付フランジのアウター側の側面と前記ブレーキパイロット部の外周面とが交差する隅部が、それぞれ異なる位置に中心を有する所定の曲率半径の円弧面からなる複合Ｒで構成されると共に、前記側面の面振れが所定値以下に規制されていることを特徴とする車輪用軸受装置。
【請求項２】
前記円弧面の曲率半径が同じに設定されている請求項１に記載の車輪用軸受装置。
【請求項３】
前記車輪取付フランジのアウター側の側面に前記ハブボルトを包含する所定幅の環状溝が形成されている請求項１または２に記載の車輪用軸受装置。
【請求項４】
前記側面のうち前記環状溝以外の側面が、前記ハブボルトが圧入された後に切削加工された切削面で構成されている請求項３に記載の車輪用軸受装置。
【請求項５】
前記車輪取付フランジに前記ハブボルトを圧入した時に生じる変形を予め測定すると共に、この測定値に基き、前記ハブボルトが圧入される前に、前記車輪取付フランジの側面が切削加工により所定の形状・寸法に形成されている請求項１または２に記載の車輪用軸受装置。
【発明の詳細な説明】
【技術分野】
【０００１】
本発明は、自動車等の車輪を支持する車輪用軸受装置に関するもので、特に、車輪取付フランジの面振れ精度を高めてブレーキジャダーの発生を抑制すると共に、フランジ強度を増大させた車輪用軸受装置に関する。
【背景技術】
【０００２】
一般にディスクブレーキの普及によって制動力が増大してきた反面、このディスクブレーキのロータをブレーキパッドにて挟持して制動を行う場合、特に車両低速走行時に振動が発生し、低周波の不快な騒音を誘発することがある。こうした現象はブレーキジャダーと呼ばれ、車両の高性能化や静寂化に伴って、近年、この分析および改善が新しい技術課題として着目されている。
【０００３】
ブレーキジャダーの明確なメカニズムはまだ詳細には解明されてはいないが、その一要因としてブレーキロータのパッド摺接面の振れ精度が挙げられている。この振れ精度は、ブレーキロータ単体の振れ精度だけでなく、ブレーキロータを取り付ける車輪取付フランジの面振れ精度、転がり軸受のアキシアル振れ、転走面の精度、および転がり軸受の組立精度等々が累積され、最終的にブレーキロータ側面の面振れ精度となって現れてくる。
【０００４】
また、近年、低コスト化は言うに及ばず、燃費向上のために軽量化を追求することにより、余肉を排除して車輪用軸受装置をスリム化させることと、操縦安定性のために車輪用軸受装置を剛性アップさせることがなされている。こうした、言わば両者相反する要求を満足しつつ、前述したブレーキロータ側面の面振れ精度対策が種々講じられている。
【０００５】
図４は従来の車輪用軸受装置を示し、（ａ）は側面図で、（ｂ）はその縦断面図である。なお、以下の説明では、車両に組み付けた状態で、車両の外側寄りとなる側をアウター側（図面左側）、中央寄り側をインナー側（図中右側）という。
【０００６】
この車輪用軸受装置は、アウター側端部に車輪（図示せず）を取り付けるための車輪取付フランジ５５を一体に有し、外周にアウター側の内側転走面５２ａと、この内側転走面５２ａから軸方向に延びる小径段部５４が形成されたハブ輪５２、およびこのハブ輪５２の小径段部５４に圧入され、外周にインナー側の内側転走面５３ａが形成された内輪５３からなる内方部材５１と、外周に車体（図示せず）に取り付けられるための車体取付フランジ６１を一体に有し、内周に複列の転走面６０ａ、６０ｂが形成された外方部材６０と、保持器６２、６２で円周等配され、両転走面間に転動自在に収容された複列のボール６３、６３とを備えている。また、車輪取付フランジ５５の円周等配位置には車輪を固定するためのハブボルト５６が植設されている。
【０００７】
外方部材６０の両端にはシール６４、６５が装着され、外方部材６０と内方部材５１との環状空間を密封し、軸受内部に封入された潤滑グリースの外部への漏洩と、外部から雨水やダスト等が軸受内部に侵入するのを防止している。
【０００８】
車輪取付フランジ５５の側面５５ａには旋盤等の一次切削により環状溝５７が形成されている。この環状溝５７の溝幅中央部にはボルト穴５８が円周等配に穿設されている。さらにハブボルト５６の外径に形成されたナール５６ａ部をこのボルト穴５８に圧入固定した後、環状溝５７以外の側面５５ａが旋盤等により二次切削されている。
【０００９】
このように、従来の車輪用軸受装置にあっては、環状溝５７が側面５５ａに形成されていることにより、ハブボルト５６の圧入による側面５５ａの変形等の影響を最小限に抑制することができると共に、ハブボルト５６の圧入後、さらに側面５５ａが二次切削されているので、ハブボルト５６の圧入によって増加した側面５５ａの面振れを抑制することができる。
【特許文献１】特開２００３−１５４８０１号公報
【発明の開示】
【発明が解決しようとする課題】
【００１０】
然しながら、前述した車輪用軸受装置において、車両の横旋回等により車輪取付フランジ５５に大きなモーメント荷重が負荷された場合、車輪取付フランジ５５の基部、すなわち、車輪取付フランジ５５とブレーキパイロット部５９間の隅部５９ａの表面に繰り返し交番応力が発生する。この交番応力に対し、車輪取付フランジ５５の形状・寸法を変更し、単純に車輪取付フランジ５５を厚肉化して車輪取付フランジ５５の強度・耐久性を向上させることも考えられるが、これでは市場における軽量・コンパクト化の流れと逆行し、強度対策としては得策と言えない。
【００１１】
また、交番応力が生じる隅部５９ａの表面に高周波焼入れにより硬化処理を施すことも提案されているが、熱処理を行った場合、硬化した表面を二次切削するには高価な工具が必要となるばかりでなく、硬化層と非硬化層とは切削抵抗の違いから結果的に切削深さが異なってその境界部に段差が生じ表面精度が劣化する。したがって、隅部５９ａの表面に硬化処理を施す場合、二次切削時に加工上の段差が生じないよう、車輪取付フランジ５５の側面から所定深さの環状の段付部（盗み）を形成しなければならなかった。ところが、車輪取付フランジ５５にモーメント荷重が作用した場合、この段差部に過大な応力が発生する恐れがあり、ハブ輪５２の強度低下が懸念される。
【００１２】
本発明は、このような事情に鑑みてなされたもので、車輪取付フランジの面振れ精度を高めてブレーキジャダーの発生を抑制すると共に、フランジ強度を確保した車輪用軸受装置を提供することを目的としている。
【課題を解決するための手段】
【００１３】
係る目的を達成すべく、本発明のうち請求項１に記載の発明は、内周に複列の外側転走面が形成された外方部材と、一端部にブレーキロータを介して車輪を取り付けるための車輪取付フランジを一体に有し、外周に、この車輪取付フランジから軸方向に延びる小径段部が形成されたハブ輪、およびこのハブ輪の小径段部に所定のシメシロを介して圧入された少なくとも一つの内輪からなり、外周に前記複列の外側転走面に対向する複列の内側転走面が形成された内方部材と、この内方部材と前記外方部材の転走面間に保持器を介して転動自在に収容された複列の転動体とを備え、前記車輪取付フランジからアウター側に延び、前記ブレーキロータを案内支持する円筒状のブレーキパイロット部が形成されると共に、前記車輪取付フランジの円周方向等配に複数のハブボルトが圧入された車輪用軸受装置において、前記車輪取付フランジのアウター側の側面と前記ブレーキパイロット部の外周面とが交差する隅部が、それぞれ異なる位置に中心を有する所定の曲率半径の円弧面からなる複合Ｒで構成されると共に、前記側面の面振れが所定値以下に規制されている。
【００１４】
このように、ハブ輪の一端部にブレーキロータを介して車輪を取り付けるための車輪取付フランジと、この車輪取付フランジの基部からアウター側に延び、ブレーキロータを案内支持する円筒状のブレーキパイロット部が形成されると共に、車輪取付フランジの円周方向等配に複数のハブボルトが圧入された車輪用軸受装置において、車輪取付フランジのアウター側の側面とブレーキパイロット部の外周面とが交差する隅部が、これらに外接し、それぞれ異なる位置に中心を有する所定の曲率半径の円弧面からなる複合Ｒで構成されると共に、側面の面振れが所定値以下に規制されているので、例えば、側面の二次切削により隅部に段差が生じることはなく、車輪取付フランジにモーメント荷重が作用しても、この隅部に過大な応力が発生するのを防止してフランジ強度を確保すると共に、ブレーキジャダーの発生を抑制した車輪用軸受装置を提供することができる。
【００１５】
好ましくは、請求項２に記載の発明のように、前記円弧面の曲率半径が同じに設定されていれば、隅部の複合Ｒが対称形となり、繰り返し応力に対し、隅部の強度を高めてハブ輪の耐久性を向上させることができる。
【００１６】
また、請求項３に記載の発明のように、前記車輪取付フランジのアウター側の側面に前記ハブボルトを包含する所定幅の環状溝が形成されていれば、ハブボルトの圧入による変形等、側面への影響を最小限に抑制できる。
【００１７】
また、請求項４に記載の発明のように、前記側面のうち前記環状溝以外の側面が、前記ハブボルトが圧入された後に切削加工された切削面で構成されていれば、ハブボルトの圧入によって増加した側面の面振れを可及的に抑制することができ、車輪取付フランジの面振れ精度を高めることができる。
【００１８】
また、請求項５に記載の発明のように、前記車輪取付フランジに前記ハブボルトを圧入した時に生じる変形を予め測定すると共に、この測定値に基き、前記ハブボルトが圧入される前に、前記車輪取付フランジの側面が切削加工により所定の形状・寸法に形成されていれば、側面の面振れを所定の精度に規制することができると共に、例えば、車輪取付フランジにハブボルトを圧入した後、ハブボルトと切削用バイトとの干渉を避けながら側面を二次切削する必要がなくなり、切削加工を容易に、かつ短縮することができる。
【発明の効果】
【００１９】
本発明に係る車輪用軸受装置は、内周に複列の外側転走面が形成された外方部材と、一端部にブレーキロータを介して車輪を取り付けるための車輪取付フランジを一体に有し、外周に、この車輪取付フランジから軸方向に延びる小径段部が形成されたハブ輪、およびこのハブ輪の小径段部に所定のシメシロを介して圧入された少なくとも一つの内輪からなり、外周に前記複列の外側転走面に対向する複列の内側転走面が形成された内方部材と、この内方部材と前記外方部材の転走面間に保持器を介して転動自在に収容された複列の転動体とを備え、前記車輪取付フランジからアウター側に延び、前記ブレーキロータを案内支持する円筒状のブレーキパイロット部が形成されると共に、前記車輪取付フランジの円周方向等配に複数のハブボルトが圧入された車輪用軸受装置において、前記車輪取付フランジのアウター側の側面と前記ブレーキパイロット部の外周面とが交差する隅部が、それぞれ異なる位置に中心を有する所定の曲率半径の円弧面からなる複合Ｒで構成されると共に、前記側面の面振れが所定値以下に規制されているので、例えば、側面の二次切削により隅部に段差が生じることはなく、車輪取付フランジにモーメント荷重が作用しても、この隅部に過大な応力が発生するのを防止してフランジ強度を確保すると共に、ブレーキジャダーの発生を抑制した車輪用軸受装置を提供することができる。
【発明を実施するための最良の形態】
【００２０】
外周に車体取付フランジを一体に有し、内周に複列の外側転走面が形成された外方部材と、一端部にブレーキロータを介して車輪を取り付けるための車輪取付フランジを一体に有し、外周に前記複列の外側転走面に対向する一方の内側転走面と、この内側転走面から軸方向に延びる小径段部が形成されたハブ輪、およびこのハブ輪の小径段部に所定のシメシロを介して圧入され、外周に前記複列の外側転走面に対向する他方の内側転走面が形成された内輪からなる内方部材と、この内方部材と前記外方部材の転走面間に保持器を介して転動自在に収容された複列の転動体とを備え、前記車輪取付フランジからアウター側に延び、前記ブレーキロータを案内支持する円筒状のブレーキパイロット部が形成されると共に、前記車輪取付フランジの円周方向等配に複数のハブボルトが圧入された車輪用軸受装置において、前記車輪取付フランジのアウター側の側面と前記ブレーキパイロット部の外周面とが交差する隅部が、それぞれ異なる位置に中心を有する所定の曲率半径の円弧面からなる複合Ｒで構成されると共に、前記側面に前記ハブボルトを包含する所定幅の環状溝が形成され、当該側面のうち前記環状溝以外の側面が、前記ハブボルトが圧入された後に切削加工された切削面で構成され、その面振れが所定値以下に規制されている。
【実施例１】
【００２１】
以下、本発明の実施の形態を図面に基いて詳細に説明する。
図１は、本発明に係る車輪用軸受装置の第１の実施形態を示す縦断面図、図２は、図１のハブ輪における車輪取付フランジの側面および隅部の加工方法を示す説明図である。
【００２２】
この車輪用軸受装置は駆動輪側で第３世代構造をなし、内方部材１と外方部材１０と複列の転動体（ボール）６、６とを備えている。内方部材１はハブ輪２と、このハブ輪２に圧入固定された別体の内輪３とからなる。
【００２３】
ハブ輪２は、一端部に車輪（図示せず）を取り付けるための車輪取付フランジ４を一体に有し、外周に一方（アウター側）の内側転走面２ａと、この内側転走面２ａから軸方向に延びる円筒状の小径段部２ｂが形成され、内周にトルク伝達用のセレーション（またはスプライン）２ｃが形成されている。車輪取付フランジ４の円周等配位置には車輪を固定するためのハブボルト５が圧入されている。内輪３は、外周に他方（インナー側）の内側転走面３ａが形成され、ハブ輪２の小径段部２ｂに圧入固定されている。
【００２４】
また、ハブ輪２は、Ｓ５３Ｃ等の炭素０．４０〜０．８０重量％を含む中炭素鋼で形成され、内側転走面２ａをはじめ、後述するシール８が摺接するシールランド部および小径段部２ｂに亙り高周波焼入れによって表面硬さを５８〜６４ＨＲＣの範囲に硬化層が形成されている。こうした高周波焼入れによりハブ輪２の強度が向上すると共に、内輪３の嵌合面におけるフレッティングが抑制されて耐久性が向上する。一方、内輪３は、ＳＵＪ２等の高炭素クロム軸受鋼からなり、ズブ焼入れにより芯部まで５８〜６４ＨＲＣの範囲で硬化処理されている。
【００２５】
外方部材１０は、外周に車体（図示せず）に取り付けられるための車体取付フランジ１０ｂを一体に有し、内周に内方部材１の内側転走面２ａ、３ａに対向する複列の外側転走面１０ａ、１０ａが形成されている。また、外方部材１０は、ハブ輪２と同様、Ｓ５３Ｃ等の炭素０．４０〜０．８０重量％を含む中炭素鋼で形成され、複列の外側転走面１０ａ、１０ａが高周波焼入れによって表面硬さを５８〜６４ＨＲＣの範囲に硬化処理されている。これら複列の外側転走面１０ａ、１０ａと内側転走面２ａ、３ａ間には保持器７、７で円周等配された複列の転動体６、６がそれぞれ転動自在に収容されている。
【００２６】
外方部材１０と内方部材１との間に形成された環状空間の開口部にはシール８、９が装着され、軸受内部に封入され潤滑グリースの漏洩と、外部から雨水やダスト等が軸受内部に侵入するのを防止している。
【００２７】
ここで、車輪取付フランジ４の側面４ａには旋盤等の一次切削により環状溝１１が形成されている。この環状溝１１の溝幅中央部にはボルト穴１２が円周方向等配に穿設されている。そして、このボルト穴１２にハブボルト５が圧入され、ハブボルト５の外径に形成されたナール部５ａがボルト穴１２に食い込んでハブボルト５が固定されている。なお、ボルト穴１２は環状溝１１の幅内に位置すれば良く、必ずしも溝幅中央部に設ける必要はない。
【００２８】
また、ハブ輪２には、車輪取付フランジ４の基部からアウター側に延びる円筒状のブレーキパイロット部１３およびホイールパイロット部１４がそれぞれ形成されている。これらブレーキパイロット部１３およびホイールパイロット部１４は、図示しないブレーキロータおよびホイールを径方向に案内支持する。
【００２９】
本実施形態では、図２（ｂ）に拡大して示すように、車輪取付フランジ４のアウター側の側面４ａとブレーキパイロット部１３の外周面とが交差する隅部１５が、それぞれ異なる位置に中心を有する曲率半径Ｒ１、Ｒ２の円弧面からなる複合Ｒで構成されている。すなわち、図２（ａ）に示すように、ハブ輪２単体の一次切削で、ブレーキパイロット部１３の外周面と車輪取付フランジ４’の側面４ａ’、およびこれらに外接する曲率半径Ｒ１からなる単一円弧面の隅部１５’が形成される。そして、ハブボルト５の圧入後、完成品の状態で所定の取代δだけ環状溝１１以外の側面４ａ’が二次切削されて側面４ａが形成されると共に、（ｂ）に示すように、この側面４ａに外接する曲率半径Ｒ２の円弧面からなる複合Ｒの隅部１５が形成される。これにより、ハブボルト５の圧入によって増加した側面４ａの面振れを可及的に抑制することができ、車輪取付フランジ４の面振れ精度を高めてブレーキジャダーの発生を抑制すると共に、側面４ａの二次切削により隅部１５に段差が生じることはなく、車輪取付フランジ４にモーメント荷重が作用しても、この隅部１５に過大な応力が発生するのを防止してフランジ強度を確保した車輪用軸受装置を提供することができる。なお、隅部１５の複合Ｒを同じ曲率半径（Ｒ１＝Ｒ２）の円弧面で構成することにより複合Ｒが対称形となり、繰り返し応力に対し、隅部１５の強度を高めてハブ輪２の耐久性を向上させることができる。
【００３０】
本出願人が実施した車輪取付フランジ４の隅部１５に発生する応力を解析した結果を表１に示す。なお、単一Ｒ（比較例）とした場合の曲率半径を２．５ｍｍとし、複合Ｒにおける曲率半径Ｒ１、Ｒ２を、実施例では、Ｒ１＝Ｒ２＝２．５ｍｍとした。また、図１において、外方部材１０における車体取付フランジ１０ｂの側面を固定面とし、ハブ輪２における車輪取付フランジ４の側面４ａを荷重負荷面とした。表１から明らかなように、車輪取付フランジの隅部が従来の単一Ｒで構成した場合に対して、隅部１５を複合Ｒで構成した場合は、隅部１５に発生する応力を略１３％減少させることができる。
【００３１】
【表１】
2007223563.tif 000003
【００３２】
本実施形態では、車輪取付フランジ４の側面４ａの面振れが２０μｍ以下に規制されている。これにより、この側面４ａに当接して固定されるブレーキロータ（図示せず）の面振れを少なくとも５０μｍに抑えることができ、ブレーキジャダーの発生を防止することができる。
【００３３】
なお、車輪取付フランジ４’の側面４ａ’および隅部１５’が予めハブボルト５の圧入前にハブ輪２単体で一次切削されると共に、ハブボルト５が圧入され、ハブ輪２の組立後に二次切削されて車輪取付フランジ４の側面４ａおよび隅部１５が形成される実施形態について説明したが、本発明はこうした実施形態に限定されるものではなく、例えば、ハブボルト５を圧入する前に、側面４ａが粗旋削と中仕上げ旋削からなる一次切削が行われ、ハブボルト５の圧入後に二次切削（仕上げ旋削）を行っても良い。また、ハブボルト５の圧入前に旋削を行わず鍛造肌のままとし、ハブボルト５の圧入後に切削（仕上げ旋削）を行っても良い。つまり、切削加工の回数は関係なく、ハブボルト５の圧入後に切削するものであれば良い。
【実施例２】
【００３４】
図３は、本発明に係る車輪用軸受装置の第２の実施形態を示す縦断面図である。なお、この実施形態は前述した実施形態（図１）と基本的には軸受部とハブ輪の一部の構成が異なるだけで、その他同一部品、同一部位あるいは同一機能を有する部位には同じ符号を付して詳細な説明を省略する。
【００３５】
この車輪用軸受装置は駆動輪側の第２世代と称され、ハブ輪１７と車輪用軸受１８とを備えている。ハブ輪１７は、一端部に車輪取付フランジ１６を一体に有し、外周に、この車輪取付フランジ１６から軸方向に延びる円筒状の小径段部１７ａが形成されている。車輪用軸受１８はこの小径段部１７ａに所定のシメシロを介して圧入固定されている。
【００３６】
車輪用軸受１８は、外周に車体取付フランジ１０ｂを一体に有し、内周に複列のテーパ状の外側転走面１９ａ、１９ａが形成された外方部材１９と、この外方部材１９に内挿され、外周に前記複列の外側転走面１９ａ、１９ａに対向するテーパ状の内側転走面２０ａが形成された一対の内輪２０、２０と、両転走面１９ａ、２０ａ間に収容された複列の転動体（円すいころ）２１、２１と、これら複列の転動体２１、２１を転動自在に保持する保持器２２とを備えている。
【００３７】
内輪２０には内側転走面２０ａの大径側に大鍔２０ｂが形成されて転動体２１が案内されると共に、小径側に転動体２１の脱落を防止する小鍔２０ｃが形成されている。そして、一対の内輪２０、２０の小端１９ｃ側の端面が突き合された状態でセットされ、所謂背面合せタイプの複列の円すいころ軸受を構成している。
【００３８】
ハブ輪１７は、Ｓ５３Ｃ等の炭素０．４０〜０．８０ｗｔ％を含む中炭素鋼で形成され、車輪取付フランジ１６の基部から小径段部１７ａに亙り高周波焼入れによって表面硬さを５８〜６４ＨＲＣの範囲に硬化処理されている。これにより、ハブ輪１７の耐久性が向上すると共に、小径段部１７ａに嵌合される一対の内輪２０、２０とのフレッティング摩耗を防止する。
【００３９】
内輪２０は、ＳＵＪ２等の高炭素クロム軸受鋼からなり、ズブ焼入れにより芯部まで５８〜６４ＨＲＣの範囲で硬化処理されている。なお、外方部材１９においては、ハブ輪１７と同様、Ｓ５３Ｃ等の炭素０．４０〜０．８０ｗｔ％を含む中炭素鋼で形成され、複列の外側転走面１９ａ、１９ａが高周波焼入れによって表面硬さを５８〜６４ＨＲＣの範囲に硬化処理されている。
【００４０】
ハブ輪１７は、鍛造後に車輪取付フランジ１６をはじめ、外周面が一次切削によって所定の形状・寸法に形成され、その後、前述した所定の部位に高周波焼入れによって硬化処理されるが、ここで、本実施形態では、ハブ輪１７の車輪取付フランジ１６にハブボルト５を圧入した時に生じる変形、具体的には、円周方向等配に圧入されたハブボルト５、５間がアウター側へ湾曲する変形量と変形部位を予め測定すると共に、この変形と逆の方向、すなわち、車輪取付フランジ１６のアウター側の側面１６ａが凹状となるような加工量に換算し、これらの情報をＮＣ加工機の指令値として取り込み、二次切削によって車輪取付フランジ１６の側面１６ａおよび複合Ｒからなる隅部１５が所望の形状・寸法に形成されている。
【００４１】
これにより、前述した実施形態のように車輪取り付けフランジに環状溝を形成しなくても、車輪取付フランジ１６の側面１６ａの面振れを所定の精度に規制することができると共に、車輪取付フランジにハブボルトを圧入した後、ハブボルト５と切削用バイトとの干渉を避けながら側面１６ａを二次切削する必要がなくなり、切削加工を容易に、かつ短縮することができる。
【００４２】
以上、本発明の実施の形態について説明を行ったが、本発明はこうした実施の形態に何等限定されるものではなく、あくまで例示であって、例えば、外方部材に車輪取付フランジを有する外輪回転タイプでも良く、本発明の要旨を逸脱しない範囲内において、さらに種々なる形態で実施し得ることは勿論のことである。本発明の範囲は、特許請求の範囲の記載によって示され、さらに特許請求の範囲に記載の均等の意味、および範囲内のすべての変更を含む。
【産業上の利用可能性】
【００４３】
本発明に係る車輪用軸受装置は、一端部にブレーキロータを介して車輪を取り付けるための車輪取付フランジを一体に有するハブ輪と複列の転がり軸受とがユニット化された第１世代乃至第３世代構造の車輪用軸受装置に適用することができる。
【図面の簡単な説明】
【００４４】
【図１】本発明に係る車輪用軸受装置の第１の実施形態を示す縦断面図である。
【図２】図１のハブ輪における車輪取付フランジの側面および隅部の加工方法を示す説明図である。
【図３】本発明に係る車輪用軸受装置の第２の実施形態を示す縦断面図である。
【図４】従来の車輪用軸受装置を示し、（ａ）は側面図、（ｂ）はその縦断面図である。
【符号の説明】
【００４５】
１・・・・・・・・・・・・内方部材
２、１７・・・・・・・・・ハブ輪
２ａ、３ａ、２０ａ・・・・内側転走面
２ｂ、１７ａ・・・・・・・小径段部
２ｃ・・・・・・・・・・・セレーション
３、２０・・・・・・・・・内輪
４、４’、１６・・・・・・車輪取付フランジ
４ａ、４ａ’、１６ａ・・・側面
５・・・・・・・・・・・・ハブボルト
５ａ・・・・・・・・・・・ナール部
６、２１・・・・・・・・・転動体
７、２２・・・・・・・・・保持器
８、９・・・・・・・・・・シール
１０、１９・・・・・・・・外方部材
１０ａ、１９ａ・・・・・・外側転走面
１０ｂ・・・・・・・・・・車体取付フランジ
１１・・・・・・・・・・・環状溝
１２・・・・・・・・・・・ボルト穴
１３・・・・・・・・・・・ブレーキパイロット部
１４・・・・・・・・・・・ホイールパイロット部
１５、１５’・・・・・・・隅部
１８・・・・・・・・・・・車輪用軸受
２０ｂ・・・・・・・・・・大鍔
２０ｃ・・・・・・・・・・小鍔
５１・・・・・・・・・・・内方部材
５２・・・・・・・・・・・ハブ輪
５２ａ、５３ａ・・・・・・内側転走面
５３・・・・・・・・・・・内輪
５４・・・・・・・・・・・小径段部
５５・・・・・・・・・・・車輪取付フランジ
５５ａ・・・・・・・・・・側面
５６・・・・・・・・・・・ハブボルト
５６ａ・・・・・・・・・・ナール部
５７・・・・・・・・・・・環状溝
５８・・・・・・・・・・・ボルト穴
５９・・・・・・・・・・・ブレーキパイロット部
５９ａ・・・・・・・・・・隅部
６０・・・・・・・・・・・外方部材
６０ａ、６０ｂ・・・・・・外側転走面
６１・・・・・・・・・・・車体取付フランジ
６２・・・・・・・・・・・保持器
６３・・・・・・・・・・・ボール
６４、６５・・・・・・・・シール
δ・・・・・・・・・・・・取代
【図１】
2007223563.tif 000004
【図２】
2007223563.tif 000005
【図３】
2007223563.tif 000006
【図４】
2007223563.tif 000007